(57)【要約】【課題】複合対物レンズの離型時に起こりうる複合対物レンズの変形や傷を抑制し、容易に離型可能である高精度な複合対物レンズを提供すること。【解決手段】光ピックアップ装置用の複合対物レンズ１０は、第１及び第２対物レンズ部１、２が並列的に配置されるように各対物レンズ部１、２を射出成形によって一体成形した光ピックアップ装置用の複合対物レンズであって、射出成形の際に形成されるゲート４と反対側に位置する外周側面Ｓ１の少なくとも一部をテーパー面ＴＰとしたことを特徴とする。これにより、複合対物レンズ１０を射出成形の金型から容易に取り出すこと、すなわち離型や突出しを行うことができる。また、このようなテーパー面ＴＰによって金型から複合対物レンズ１０を比較的均等に取り出すことができるため、複合対物レンズ１０が変形したり、傷がついたりすることを抑えることができる。【選択図】図１
2008234738.tif 000002
【特許請求の範囲】
【請求項１】
複数の対物レンズ部が並列的に配置されるように前記複数の対物レンズ部を射出成形によって一体成形した光ピックアップ装置用の複合対物レンズであって、
射出成形の際に形成されるゲートと反対側に位置する外周側面の少なくとも一部をテーパー面としたことを特徴とする複合対物レンズ。
【請求項２】
前記テーパー面は、前記複数の対物レンズ部の像側の光学面から光源側の光学面に向かって外周が細くなる形状であることを特徴とする請求項１に記載の複合対物レンズ。
【請求項３】
前記外周側面の少なくとも一部は、前記ゲートの反対側となる前記外周側面の部分であって、前記ゲートから最も離れた対物レンズ部の外周に接する前記ゲートの長さ方向の２つの接線に挟まれた部分であることを特徴とする請求項１乃至請求項２のいずれか一項記載の複合対物レンズ。
【請求項４】
前記外周側面の少なくとも一部は、前記ゲートから最も離れた対物レンズ部の外周に接する前記ゲートの長さ方向に垂直な方向の２つの接線のうち前記ゲートからより離れた接線よりも前記ゲートの反対側にある部分であることを特徴とする請求項１乃至請求項３のいずれか一項記載の複合対物レンズ。
【請求項５】
前記ゲートの切断部を除いた前記外周側面のすべてが前記テーパー面であることを特徴とする請求項１乃至請求項４のいずれか一項記載の複合対物レンズ。
【請求項６】
射出成形の際に、前記ゲートの側面にテーパー面が形成されることを特徴とする請求項１乃至請求項５のいずれか一項記載の複合対物レンズ。
【請求項７】
射出成形の際に、前記ゲートの側面及び前記ゲートの側面より先の前記外周側面のすべてに前記テーパー面が形成されることを特徴とする請求項１乃至請求項６のいずれか一項記載の複合対物レンズ。
【請求項８】
前記複数の対物レンズ部のうち最も小さいスポット径を形成するための対物レンズ部が最もゲート側に配置されることを特徴とする請求項１乃至請求項７のいずれか一項記載の複合対物レンズ。
【請求項９】
光源と、請求項１乃至請求項８のいずれか一項記載の複合対物レンズとを備えたことを特徴とする光ピックアップ装置。
【発明の詳細な説明】
【技術分野】
【０００１】
本発明は、成形の際に成形金型から容易に取り出せる複合対物レンズ、並びに、かかる複合対物レンズを組み込んだ光ピックアップ装置に関する。
【背景技術】
【０００２】
これまで、ＣＤ（コンパクト・ディスク）、ＤＶＤ（デジタル・バーサタイル・ディスク）等の光情報記録媒体に対して情報の再生、記録を行うための各種光ピックアップ装置が開発、製造され、一般に普及している。なお、「情報の再生、記録」とは、情報についての再生及び／又は記録を意味する。かかる光ピックアップ装置に組み込まれる対物レンズとして、複数のレンズ素子を合体して一体成形した複合対物レンズが存在し、この場合、複数の対物レンズを備える複合対物レンズが一体成形によって小型化され組立工程も簡単なものとなる（例えば、特許文献１参照）。
【特許文献１】特開平９−１１５１７０号公報
【発明の開示】
【発明が解決しようとする課題】
【０００３】
しかし、複合対物レンズの成形の際、金型からの離型にともなって複合対物レンズが変形したり、レンズ外周部に傷が発生したりするという問題があった。
【０００４】
そこで、本発明は、複合対物レンズの離型時に起こりうる複合対物レンズの変形や傷を抑制し、容易に離型可能である高精度な複合対物レンズを提供することを目的とする。
【０００５】
また、上記複合対物レンズを組み込んだ光ピックアップ装置を提供することを目的とする。
【課題を解決するための手段】
【０００６】
上記課題を解決するため、本発明にかかる光ピックアップ装置用の複合対物レンズは、（ａ）複数の対物レンズ部が並列的に配置されるように複数の対物レンズ部を射出成形によって一体成形した光ピックアップ装置用の複合対物レンズであって、（ｂ）射出成形の際に形成されるゲートと反対側に位置する外周側面の少なくとも一部をテーパー面としたことを特徴とする。
【０００７】
上記複合対物レンズでは、ゲートと反対側に位置する外周側面の少なくとも一部をテーパー面とすることによって、複合対物レンズを射出成形の金型から容易に取り出すこと、すなわち離型や突出しを行うことができる。また、このようなテーパー面によって金型から複合対物レンズを比較的均等に取り出すことができるため、複合対物レンズが変形したり、傷がついたりすることを抑えることができる。
【０００８】
本発明の具体的な態様によれば、テーパー面は、複数の対物レンズ部の像側の光学面から光源側の光学面に向かって外周が細くなる形状であることを特徴とする。光ピックアップ装置用の複合対物レンズの場合、光源側の光学面の方が光情報記録媒体である光ディスク側の光学面よりも曲率をもった形状となる。これにより、一般的に光源側の光学面が例えば可動金型にて形成されるとき、この可動金型から複合対物レンズを取り出す際の抵抗を抑えることができ、複合対物レンズの取り出しを容易にすることができる。
【０００９】
本発明の別の態様によれば、外周側面の少なくとも一部は、ゲートの反対側となる外周側面の部分であって、ゲートから最も離れた対物レンズ部の外周に接するゲートの長さ方向の２つの接線に挟まれた部分であることを特徴とする。この場合、ゲートから見て最も離れた対物レンズ部の背後にある外周側面の部分をテーパー面とすることによって、複合対物レンズを射出成形の金型からより容易に取り出すことができる。
【００１０】
本発明の別の態様によれば、外周側面の少なくとも一部は、ゲートから最も離れた対物レンズ部の外周に接するゲートの長さ方向に垂直な方向の２つの接線のうちゲートからより離れた接線よりもゲートの反対側にある部分であることを特徴とする。この場合、ゲートから見て最も離れた対物レンズ部よりも遠い位置にある外周側面の部分をテーパー面とすることによって、複合対物レンズを射出成形の金型からより容易に取り出すことができる。
【００１１】
本発明の別の態様によれば、ゲートの切断部を除いた外周側面のすべてがテーパー面であることを特徴とする。なお、これはゲートの切断時にテーパー面に加工することを妨げるものではない。この場合、ゲートの切断部を除いた外周側面のすべてをテーパー面とすることによって、複合対物レンズを射出成形の金型からより容易に取り出すことができる。
【００１２】
本発明の別の態様によれば、射出成形の際に、ゲートの側面にテーパー面が形成されることを特徴とする。この場合、ゲートの側面に成形当初からテーパー面を形成することによって、複合対物レンズを含む成形品のゲートも射出成形の金型から容易に取り出すことができる。
【００１３】
本発明の別の態様によれば、射出成形の際に、ゲートの側面及びゲートの側面より先の外周側面のすべてにテーパー面が形成されることを特徴とする。この場合、ゲートの側面及び外周側面のすべてを成形当初からテーパー面とすることによって、複合対物レンズを射出成形の金型からより容易に取り出すことができる。
【００１４】
本発明の別の態様によれば、複数の対物レンズ部のうち最も小さいスポット径を形成するための対物レンズ部が最もゲート側に配置されることを特徴とする。この場合、ゲート側に最も近い対物レンズ部は、複合対物レンズの射出成形時に安定して成形されるので、高精度な対物レンズ部とすることができる。
【００１５】
本発明にかかる光ピックアップ装置は、光源と、上述の複合対物レンズとを備えたことを特徴とする。この場合、上述の光学素子によって、高精度で情報の再生及び／又は記録可能になる。
【発明を実施するための最良の形態】
【００１６】
（１）複合対物レンズ
本発明の一実施形態である複合対物レンズについて、図面を参照しつつ説明する。なお、図１（Ａ）は、複合対物レンズを説明する平面図であり、図１（Ｂ）は、図１（Ａ）の複合対物レンズの断面図である。また、図２（Ａ）は、複合対物レンズの裏面図であり、図２（Ｂ）は、図２（Ａ）の複合対物レンズの側面図であり、図２（Ｃ）は、図２（Ａ）の複合対物レンズの正面図である。
【００１７】
図１及び図２に示す複合対物レンズ１０は、コリメートされた状態で入射する光束を比較的小径のスポットとして集光する第１対物レンズ部１と、コリメートされた状態で入射する光束を比較的大径のスポットとして集光する第２対物レンズ部２と、第１及び第２対物レンズ部１、２を周囲から支持する外枠部３とを有する。複合対物レンズ１０は、例えばプラスチック材料から一括して成形された単一の部品であり、第１及び第２対物レンズ部１、２と外枠部３とが一体化されている。ここで、第１及び第２対物レンズ部１、２は平面視において円形の輪郭を有し、外枠部３は第１及び第２対物レンズ部１、２の周囲を囲んだ円形と矩形とを折衷した輪郭を有する。第１及び第２対物レンズ部１、２は、略同一平面内に配置され、各自の光軸ＯＡ１、ＯＡ２は、互いに略平行に揃えられている。なお、複合対物レンズ１０は、外枠部３の外周側面Ｓ１のうち各対物レンズ部１、２の中心を結ぶ直線ＣＬと交差する外枠部３の外周側面Ｓ１にゲート４をさらに備える。なお、ゲート４は、射出成形の際の樹脂の流入口であり、成形後切断してもよい。また、複合対物レンズ１０は、外枠部３上に射出成形の際のピン突出し用の凹部５と、樹脂流入時のキャビティ用に形成された空間内の空気を抜くためのエアベント６と、各対物レンズ部１、２の外周を囲う対物レンズ部の平行出し用の端面７とをさらに備える。
【００１８】
複合対物レンズ１０は、射出成形の際にゲート４の側面Ｓ２及びゲート４の側面Ｓ２より先の外周側面Ｓ１のすべてにテーパー面ＴＰが形成されている。すなわち、図３に概念的に示した複合対物レンズ１０において、ゲート４の側面Ｓ２を含む領域ＡＲ４及び外枠部３の外周側面Ｓ１を含む領域ＡＲ３にテーパー面ＴＰが形成されている。
【００１９】
テーパー面ＴＰは、各対物レンズ部１、２の像側すなわち、光ディスク側（不図示）の光学面１ｂ、２ｂから光源側（不図示）の光学面１ａ、２ａに向かって外周が細くなる形状となっている。つまり、外枠部３は、−Ｚ側の端面の輪郭の方が＋Ｚ側の端面の輪郭よりもひとまわり小さくなっている。具体的には、テーパー面ＴＰの傾斜角度は例えば２．５°以上５．０°以下である。この場合、光源側の光学面１ａ、２ａの方が光ディスク側の光学面１ｂ、２ｂよりも曲率をもった形状となる。これにより、一般的に光源側の光学面１ａ、２ａが可動金型にて形成されるとき、この可動金型から取り出す際の抵抗を抑えることができ、複合対物レンズ１０を容易に取り出すことができる。また、テーパー面ＴＰの傾斜角度を２．５°以上とすることにより、金型の加工時に金型表面に荒れや出っ張りが多少あったとしても、金型から複合対物レンズ１０を抜く際に、複合対物レンズ１０の破損や外観不良となるような傷の発生を低減することができる。また、５．０°以下とすることにより、例えば、複数の複合対物レンズ１０を一列に並べて収納するスティック状のレンズ収納容器等に入れて持ち運ぶ際に１つの複合対物レンズが別の複合対物レンズに乗り上げて傷を発生したりレンズ収納容器内でつまったりすることを防止できる。
【００２０】
ゲート４は、各対物レンズ部１、２に対して各光軸ＯＡ１、ＯＡ２の垂直方向に設けられる。また、ゲート４は、複合対物レンズ１０の側面Ｓ１側の１箇所に形成されることにより、射出成形用の金型製造を簡易にすることができる。また、複数のゲートを設けた場合のウェルドの発生を防止できる。
【００２１】
エアベント６は、ゲート４から最も離れた複合対物レンズ１０の角に対称に設けられている。エアベント６は、複合対物レンズ１０を射出成形する際に、樹脂流入時に押し出された金型のキャビティ内にある空気を金型外に抜く空間である。これにより、キャビティ内に樹脂が均一に流入し、複合対物レンズ１０を均一に成形することができる。なお、エアベント６は、複合対物レンズ１０の外枠部３の直線部分の延長線が交わる領域ＳＰ内に設けられており、バリ取り加工は不要となっている。
【００２２】
凹部５は外枠部３の−Ｚ側の端面すなわち光源側の端面に２箇所設けられている。この場合、凹部５は、光学面１ａ、２ａを形成するための可動金型側の面により形成される。射出成形した複合対物レンズ１０を金型から取り出す際に光学面１ａを形成する金型部分の突出しと同時に突出しピンが凹部５に当たり、その当接部に多少変形が生じてもその変形が凹部５内に収まるように凹部５が設けられている。なお、複合対物レンズ１０を金型から取り出す際に、複合対物レンズ１０の全体に比較的均等な力を加えることができれば、凹部５を設ける位置は図示した位置に限られるものではない。
【００２３】
以上の説明から明らかなように、本実施形態の複合対物レンズ１０は、ゲート４の側面Ｓ２と複合対物レンズ１０の外周側面Ｓ１をテーパー面ＴＰとすることによって、複合対物レンズ１０を射出成形の金型から容易に取り出すことができる。また、このようなテーパー面ＴＰによって金型から複合対物レンズ１０を比較的均等に取り出すことができるため、複合対物レンズ１０が変形したり、傷がついたりすることを抑えることができる。
【００２４】
本実施形態の複合対物レンズ１０は、情報の再生、若しくは記録に用いられるものであって、第１及び第２対物レンズ部１、２のうち、最も小さいスポット径を形成するための第１対物レンズ部１が、射出成形のゲート側に最も近い位置に設けられていることにより、第１対物レンズ部１を安定して成形することができる。よって、第１対物レンズ部１の収差性能が悪化することを防ぐことができ、スポット径が最も小さく高性能が要求される第１対物レンズ部１を容易に実現できる。また、第２対物レンズ部２は、ゲート４と第１対物レンズ部１の中心とを結ぶ直線ＣＬ上に配置され第１対物レンズ部１よりもスポット径が大きくなる。また、第２対物レンズ部２を直線ＣＬ上に配置することにより、ゲート４からの樹脂の流れが一様になるので、第２対物レンズ部２の収差性能の悪化を防ぐことができる。
【００２５】
一方、第２対物レンズ部２は、第１対物レンズ部１と比べて成形性上で不利となる可能性があるが、要求される光学性能が第１対物レンズ部１よりも低く、変形してもその影響が小さいので問題となる可能性が低い。また、光学性能への影響の程度が比較的低いので事前に変形を見込んで金型を製作することも可能である。
【００２６】
以上説明した複合対物レンズ１０は、複数種の光ディスクのいずれの光ディスクに対して情報の再生、記録を行うかによって、各対物レンズ部１、２のうち、それに対応する対物レンズ部が選択使用される。すなわち、第１対物レンズ部１によって、入射光を比較的小さいスポット径で不図示の光ディスク中に設けられた情報記録面に集光することができ、第２対物レンズ部２によって、入射光を比較的大きいスポット径で別タイプの光ディスク中に設けられた情報記録面に集光することができる。
【００２７】
以下、第１及び第２対物レンズ部１、２の機能について説明する。図４は、複合対物レンズ１０を通過する光束を説明する側面図である。第１対物レンズ部１は、ＢＤ用の波長４０５ｎｍ或いは４０８ｎｍ程度のレーザ光を対象として設計されている。つまり、図４に示すように、第１対物レンズ部１の光源側面１ａ側から例えば光軸ＯＡ１に沿って光軸ＯＡ１に平行な波長４０５ｎｍのレーザ光束が入射すると、第１対物レンズ部１の光ディスク側面１ｂ側からレーザ光束が射出されるが、このレーザ光束は、光軸ＯＡ１上の焦点位置Ｆ１（不図示のＢＤの情報記録面上）に集光し、ここに比較的小さな集光スポットを形成する。
【００２８】
一方、第２対物レンズ部２は、ＤＶＤ用の波長６５５ｎｍのレーザ光及びＣＤ用の波長７８０ｎｍのレーザ光を対象として設計されている。つまり、図４に示すように、第２対物レンズ部２の光源側面２ａ側から例えば光軸ＯＡ２に沿って光軸ＯＡ２に平行な波長６５５ｎｍのレーザ光束が入射すると、第２対物レンズ部２の光ディスク側面２ｂ側から波長６５５ｎｍのレーザ光束が射出されるが、このレーザ光束は、光軸ＯＡ２上の焦点位置Ｆ２（不図示のＤＶＤの情報記録面上）に集光し、ここに比較的大きな集光スポットを形成する。また、第２対物レンズ部２の光ディスク側面２ａ側から例えば光軸ＯＡ２に平行な波長７８０ｎｍのレーザ光束が入射すると、第２対物レンズ部２の光ディスク側面２ｂ側から波長７８０ｎｍのレーザ光束が射出されるが、このレーザ光束は、光軸ＯＡ２上の焦点位置Ｆ３（不図示のＣＤの情報記録面上）に集光し、ここにＤＶＤの集光スポットよりもさらに大きい集光スポットを形成する。
【００２９】
（２）光ピックアップ装置
図５は、図１の複合対物レンズ１０を組み込んだ光ピックアップ装置の光学系の構成を概略的に示す図である。
【００３０】
この光ピックアップ装置において、各半導体レーザ８１Ａ、８１Ｂからのレーザ光は、共用の対物レンズアクチュエータ２００を介して光ディスクＤＢ、ＤＤ（又はＤＣ）にそれぞれ集光され、各光ディスクＤＢ、ＤＤ（又はＤＣ）からの反射光は、共用の対物レンズアクチュエータ２００を介し、最終的に各光検出器８７Ａ、８７Ｂにそれぞれ導かれる。
【００３１】
ここで、第１半導体レーザ８１Ａは、第１光ディスクＤＢの情報再生用のレーザ光（具体的には、ＢＤ用の波長４０５ｎｍ）を発生し、このレーザ光は、対物レンズアクチュエータ２００に設けた複合対物レンズ１０の第１対物レンズ部１で集光され、ＮＡ０．８５相当のスポットが情報記録面ＭＢ上に形成される。第２半導体レーザ８１Ｂは、２波長型のレーザダイオードであり、第２光ディスクＤＤと第３光ディスクＤＣの情報再生用のレーザ光（具体的には、ＤＶＤ用の波長６５５ｎｍ、又はＣＤ用の波長７８０ｎｍ）を発生し、その後レーザ光は、第２対物レンズ部２で集光され、ＮＡ０．６５（又はＮＡ０．５３）相当のスポットが情報記録面ＭＤ（又はＭＣ）上に形成される。
【００３２】
一方、第１光検出器８７Ａは、第１光ディスクＤＢ（具体的にはＢＤ）に記録された情報を光信号として検出し、第２光検出器８７Ｂは、第２光ディスクＤＤ（具体的にはＤＶＤ）又は第３光ディスクＤＣ（具体的にはＣＤ）に記録された情報を光信号として検出する。
【００３３】
以下、図５の光ピックアップ装置の詳細な構造や具体的な動作について説明する。まず第１光ディスクＤＢを再生する場合、第１半導体レーザ８１Ａから例えば波長４０５ｎｍのレーザ光が出射され、出射された光束は、ビームシェーパやコリメータレンズからなるコリメータ系８２Ａにより平行光束となる。この光束は、トラッキング用信号の検出に使用するサブビームスポットを生成するためのグレーティング８３Ａ、偏光ビームスプリッタ８４Ａ、ダイクロイックプリズム８４Ｃを透過し、さらにビームエキスパンダ８４Ｇ、１／４波長板８８Ｂを透過し、ダイクロイックプリズム８４Ｄに入射する。入射した光束は面８４Ｄａで反射され、第１対物レンズ部１を介して、第１光ディスクＤＢの情報記録面ＭＢに集光される。
【００３４】
情報記録面ＭＢでピットや記録マークにより変調されて反射された光束は、再び第１対物レンズ部１等を透過して、ダイクロイックプリズム８４Ｃ等を経て偏光ビームスプリッタ８４Ａに入射し、ここで反射されてサーボレンズ８５Ａにより非点収差が与えられ、第１光検出器８７Ａ上へ入射し、その出力信号を用いて、第１光ディスクＤＢに記録された情報の読み取り信号が得られる。
【００３５】
また、第１光検出器８７Ａ上でのスポットの形状変化、位置変化による光量変化を検出して、合焦（フォーカス）検出やトラック検出を行う。この検出に基づいて、対物レンズアクチュエータ２００に設けた不図示の磁気回路部が、第１半導体レーザ８１Ａからの光束を第１光ディスクＤＢの情報記録面ＭＢ上に結像させるように、複合対物レンズ１０すなわち第１対物レンズ部１を光軸方向に移動させるとともに、この第１半導体レーザ８１Ａからの光束を所定のトラックに結像するように、同第１対物レンズ部１を光軸に垂直な方向に移動させる。
【００３６】
次に、第２光ディスクＤＤを再生する場合、第２半導体レーザ８１Ｂから例えば波長６５５ｎｍのレーザ光が出射され、出射された光束は、コリメータ系８２Ｂにより平行光束となる。この光束は、トラッキング用信号の検出に使用するサブビームスポットを生成するためのグレーティング８３Ｂ、偏光ビームスプリッタ８４Ｂを透過し、ダイクロイックプリズム８４Ｃで反射され、ビームエキスパンダ８４Ｇ、１／４波長板８８Ｂを通過し、ダイクロイックプリズム８４Ｄに入射する。入射した光束は、面８４Ｄａを透過し、面８４Ｄｂで反射されて、複合対物レンズ１０のうち対応する第２対物レンズ部２を介して第２光ディスクＤＤの情報記録面ＭＤに集光される。
【００３７】
情報記録面ＭＤでピットや記録マークにより変調されて反射された光束は、再び第２対物レンズ部２を透過して、ダイクロイックプリズム８４Ｄ、ビームエキスパンダ８４Ｇ等を通過した後、ダイクロイックプリズム８４Ｃで反射され、さらに偏光ビームスプリッタ８４Ｂで反射される。反射された光束は、サーボレンズ８５Ｂにより非点収差が与えられ、第２光検出器８７Ｂ上へ入射し、その出力信号を用いて、第２光ディスクＤＤに記録された情報の読み取り信号が得られる。また、第１光ディスクＤＢの場合と同様、第２光検出器８７Ｂ上でのスポットの形状変化、位置変化による光量変化を検出して、合焦検出やトラック検出を行い、対物レンズアクチュエータ２００に設けた不図示の磁気回路部により、フォーカシング及びトラッキングのため、複合対物レンズ１０すなわち第２対物レンズ部２を移動させる。
【００３８】
次に、第３光ディスクＤＣを再生する場合、第２半導体レーザ８１Ｂから例えば波長７８０ｎｍのレーザ光が出射され、出射された光束は、コリメータ系８２Ｂにより平行光束となる。この光束は、トラッキング用信号の検出に使用するサブビームスポットを生成するためのグレーティング８３Ｂ、偏光ビームスプリッタ８４Ｂを透過し、ダイクロイックプリズム８４Ｃで反射され、ビームエキスパンダ８４Ｇ、１／４波長板８８Ｂを通過し、ダイクロイックプリズム８４Ｄに入射する。入射した光束は、面８４Ｄａを透過し、面８４Ｄｂで反射されて、複合対物レンズ１０のうち対応する第２対物レンズ部２を介して第３光ディスクＤＣの情報記録面ＭＣに集光される。
【００３９】
情報記録面ＭＣでピットや記録マークにより変調されて反射された光束は、再び第２対物レンズ部２を透過して、ダイクロイックプリズム８４Ｄ、ビームエキスパンダ８４Ｇ等を通過した後、ダイクロイックプリズム８４Ｃで反射され、さらに偏光ビームスプリッタ８４Ｂで反射される。反射された光束は、サーボレンズ８５Ｂにより非点収差が与えられ、第２光検出器８７Ｂ上へ入射し、その出力信号を用いて、第３光ディスクＤＣに記録された情報の読み取り信号が得られる。また、第２光ディスクＤＤの場合と同様、第２光検出器８７Ｂ上でのスポットの形状変化、位置変化による光量変化を検出して、合焦検出やトラック検出を行い、対物レンズアクチュエータ２００に設けた不図示の磁気回路部により、フォーカシング及びトラッキングのために、複合対物レンズ１０すなわち第２対物レンズ部２を移動させる。
【００４０】
なお、以上は各光ディスクＤＢ、ＤＤ（又はＤＣ）から情報を再生する場合の説明であったが、各半導体レーザ８１Ａ、８１Ｂの出力を調整すること等により、各光ディスクＤＢ、ＤＤ（又はＤＣ）に情報を記録することもできる。
【００４１】
また、上記実施形態では、第１対物レンズ部１によりＢＤに対する情報の再生、記録を行い、第２対物レンズ部２によりＤＶＤ及びＣＤに対する情報の再生、記録を行っているが、第１対物レンズ部１によりＢＤに対する情報の再生、記録を行い、第２対物レンズ部２によりＨＤ  ＤＶＤ、ＤＶＤ及びＣＤに対する情報の再生、記録を行う実施形態とすることもできる。逆に、第１対物レンズ部１によりＨＤ  ＤＶＤに対する情報の再生、記録を行い、第２対物レンズ部２によりＢＤやＤＶＤ、ＣＤに対する情報の再生、記録を行う実施形態とすることもできる。さらに、第１対物レンズ部１によりＤＶＤに対する情報の再生、記録を行い、第２対物レンズ部２によりＣＤに対する情報の再生、記録を行う実施形態とすることもできる。もちろん、その他の各種の組み合わせができるとともに、第３対物レンズ部等、３以上の対物レンズ部を設けた複合複合対物レンズに適用することもできる。
【００４２】
以上実施形態に即して本発明を説明したが、本発明は、上記実施形態に限定されるものではなく、様々な変形が可能である。例えば、上記実施形態では、ゲート４の側面Ｓ２及び複合対物レンズ１０の外周側面Ｓ１を含むすべての領域ＡＲ３及びＡＲ４にテーパー面ＴＰを設けたが、各側面Ｓ１、Ｓ２を含むすべての領域ＡＲ３及びＡＲ４にテーパー面ＴＰを設けなくてもよい。すなわち、図３において、ゲート４の切断部Ｌ１を除いた外周側面Ｓ１のすべてを含む領域ＡＲ３をテーパー面ＴＰにしてもよい。なお、これはゲート４の切断時にテーパー面ＴＰに加工することを妨げるものではない。この場合、比較的長い形状の複合対物レンズ１０でも金型から容易に抜き出すことができる。
【００４３】
また、ゲートから最も離れた第２対物レンズ部２の外周に接するゲート４の長さ方向すなわちＹ方向に垂直な方向の２つの接線のうちゲート４からより離れた接線Ｌ２よりもゲート４の反対側にある部分の外周側面Ｓ１を含む領域ＡＲ２をテーパー面ＴＰにしてもよい。この場合も同様に、複合対物レンズ１０を金型から容易に抜き出すことができる。
【００４４】
また、外周側面Ｓ１のゲート４の反対側となる外周側面Ｓ１の部分であって、ゲート４から最も離れた第２対物レンズ部２の外周に接するゲートの長さ方向の２つの接線Ｌ３ａ、Ｌ３ｂに挟まれた部分を含む領域ＡＲ１をテーパー面ＴＰにしてもよい。この場合も、テーパー面ＴＰがない場合よりも複合対物レンズ１０を金型から比較的容易に抜き出すことができる。
【００４５】
また、射出成形の際に、ゲート４の側面Ｓ２を含む領域ＡＲ４にテーパー面ＴＰを形成してもよい。この場合、ゲートの成形当初からテーパー面ＴＰを形成することによって、複合対物レンズを含む成形品のゲートに対しても射出成形の金型から容易に取り出すことができる。
【００４６】
つまり、いずれの場合も複合対物レンズ１０を射出成形の金型から容易に取り出すことができる。また、テーパー面ＴＰの領域が多くなるほど、複合対物レンズ１０を金型からより容易に取り出すことができる。なお、上記実施形態で側面Ｓ２及び外周側面Ｓ１のすべてをテーパー面ＴＰにした場合等は、金型から非常に抜き出しやすい状態となるため、突出しピンによる突き出しをしなくてもよい。
【００４７】
上記実施形態では、光ピックアップ装置において、複合対物レンズ１０を移動させることなくレンズ切り替えを行っているが、複合対物レンズ１０を対物レンズアクチュエータ２００等で光軸に垂直な方向に移動させてレンズ切り替えを行うこともできる。この場合、複合対物レンズ１０を構成する各対物レンズ部１、２に個別にレーザ光を導くための光学系を設けたり、複合対物レンズ１０に至る光路上にミラー等の光路切り替え手段を設けたりすることができる。
【図面の簡単な説明】
【００４８】
【図１】図１（Ａ）は、実施形態の複合対物レンズの平面図であり、図１（Ｂ）は、複合対物レンズの断面図である。
【図２】図２（Ａ）は、図１（Ａ）の反対側から見た裏面図であり、図２（Ｂ）は、図２（Ａ）の側面図であり、図２（Ｃ）は、図２（Ａ）の正面図である。
【図３】図１に示す複合対物レンズのテーパー面の領域を示す平面図である。
【図４】図１に示す複合対物レンズ周辺の光束を説明する側面図である。
【図５】図１に示す複合対物レンズを組み込んだ光ピックアップ装置の構成を示す図である。
【符号の説明】
【００４９】
１０…複合対物レンズ、  １…第１対物レンズ部、  ２…第２対物レンズ部、  ３…外枠部、  ４…ゲート、  ５…凹部、  ６…エアベント、  ７…端面、  ＴＰ…テーパー面
【図１】
2008234738.tif 000003
【図２】
2008234738.tif 000004
【図３】
2008234738.tif 000005
【図４】
2008234738.tif 000006
【図５】
2008234738.tif 000007